(57)【要約】【課題】  葉もの野菜などの包装対象物の損傷を防ぐこと【解決手段】  包装体１０には、４辺の対向する２辺が熱による接着によるシール線からなる第１封止部及び第２封止部１４，１６と、残りの２辺中の１辺に設けられた第３封止部１８とを備え、残りの１辺が開口した袋体１２を用いる。袋体１２の内部に葉もの野菜などＶを収容した状態で、開口した辺の端部同士をを相互に接合させて第３封止部１８と略直交するような角度で第４封止部２２を形成して、四面体状内に葉もの野菜などＶを空気とともに封入する。第一，第二概略三角形の垂線上に位置する第１，第２封止部１４，１６は、引き裂き用の開封ガイドであり、包装体１０の四面体の各隅部に隅取り用シール線２０ａ，２０ｂ，２６ａ，２６ｂを設けた。【選択図】  図３
2008201429.tif 000002
【特許請求の範囲】
【請求項１】
対向する２辺に設けられた第１封止部及び第２封止部と、残りの２辺中の１辺に設けられた第３封止部とを備え、残りの１辺が開口した袋体を用い、
前記袋体の内部に包装対象物を収容した状態で、前記開口した辺の端部同士を相互に接合させて前記第３封止部と略直交するような角度で第４封止部を形成して、
前記第４封止部を共通底辺とする一対の第一及び第二の概略三角形と、前記第３封止部を共通底辺とする一対の第三及び第四の概略三角形を形成して、周方向に隣接する前記各概略三角形の斜辺同士が連結された四面体状内に前記包装対象物を空気とともに封入する包装体であって、
前記包装体の四面体の各隅部に隅取り用シール線を設けたことを特徴とする包装体。
【請求項２】
前記隅取り用シール線は、前記第１，２封止部と前記第３および第４封止部との間を連結する円弧または直線とすることを特徴とする請求項１記載の包装体。
【請求項３】
前記第１，第２封止部は、前記包装体の引き裂き用開封ガイドとすることを特徴とする請求項１または２記載の包装体。
【請求項４】
前記包装対象物は、レタス、ほうれん草などの葉もの野菜であることを特徴とする請求項１ないし３記載の包装体。
【発明の詳細な説明】
【技術分野】
【０００１】
本発明は、包装体に関し、包装対象物、特に、レタス，ほうれん草などの葉もの野菜などを封入して、その損傷を防ぐ包装体に関するものである。
【背景技術】
【０００２】
カットされた野菜類などを傷めずに、新鮮な状態で保存、搬送、展示する手段として、特許文献１に開示されている包装袋がある。この公報に記載されている包装袋は、ポリプロピレンやポリエチレンなどの透明なフィルムで、いわゆるテトラ状の四面体の立体形状に形成されている。
【０００３】
野菜類は、上端が開口した袋内に収容し、上端を溶着することにより、四面体状の包装袋内に封入される。このような立体形状内に野菜類を封入すると、四面体の立体形状が外力に対して、安定しているとともに、平行になった面が存在しないので、箱状の容器に野菜類を収納し束愛に比べて、外力が加わった場合に、損傷を受けることが少なくなり、その結果、鮮度を比較的長期間維持することができるという、利点がある。しかしながら、このような構成の包装袋には、以下に説明する技術的な課題があった。
【０００４】
【特許文献１】実用新案登録第３１２６３３１号公報
【発明の開示】
【発明が解決しようとする課題】
【０００５】
すなわち、特許文献１に提案されている包装袋は、包装対象物、特に野菜などを収容した状態で、開口した端部を封止することで、四面体の立体形状とされるが、このような立体形状においては、４箇所の先端が封止された、先細状の狭い空間からなる隅部があって、これらの隅部に包装対象物、特に野菜などの小径部分などが存在すると、隅部に外力が加わった場合に、挟まれて損傷を受け易くなる。野菜類などの一部にこのような損傷個所が発生すると、時間の経過とともに、損傷が周辺まで拡大し、その結果、生鮮度が急激に悪化するという問題があった。
【０００６】
本発明は、このような状況の下でなされたもので、その目的とするところは、包装対象物の損傷、特に葉もの野菜などの損傷を防いで、その鮮度を長期間保つことができる包装体を提供することにある。
【課題を解決するための手段】
【０００７】
上記目的を達成するために、本発明は、対向する２辺に設けられた第１封止部及び第２封止部と、残りの２辺中の１辺に設けられた第３封止部とを備え、残りの１辺が開口した袋体を用い、前記袋体の内部に包装対象物を収容した状態で、前記開口した辺の端部同士をを相互に接合させて前記第３封止部と略直交するような角度で第４封止部を形成して、
前記第４封止部を共通底辺とする一対の第一及び第二の概略三角形と、前記第３封止部を共通底辺とする一対の第三及び第四の概略三角形を形成して、周方向に隣接する前記各概略三角形の斜辺同士が連結された四面体状内に前記包装対象物を空気とともに封入する包装体であって、前記包装体の四面体の各隅部に隅取り用シール線を設けた。
【０００８】
上記構成の包装体よれば、包装対象物、特にレタス，ほうれん草などの葉もの野菜などを空気とともに封入した包装体は、四面体の各隅部に隅取り用シール線を設けているので、包装対象物、特に葉もの野菜などが侵入して損傷を受け易い隅部がなくなり、その結果、包装対象物の損傷、特に葉もの野菜などの損傷を防いで、その鮮度を長期間保つことができる。
【０００９】
上記構成の包装体では、例えば、レタス，ほうれん草などの葉もの野菜が包装対象物であって、これを四面体を基本形状とする包装体内に封入すると、四面体は、平行ないしは対向する面が存在しないので、外力が加えられた際に、箱状の包装体にこれらを封入した場合のように、外力がそのまま葉もの野菜に加えられることがなく、葉もの野菜の損傷を少なくすることができる。
【００１０】
また、上記構成の包装体で、レタス，ほうれん草などの葉もの野菜を包装対象物とすると、これを空気と共に四面体を基本形状とする包装体内に封入しているので、隣接する野菜間や、表面の野菜と袋体の内面間に空気層が介在しているので、外力が加えられた場合に、これらの空気層がクッションとして機能し、これによっても野菜の損傷を少なくすることができる。さらに、本発明では、四面体の各隅部に隅取り用シール線を設けているので、球に近い形状の多角形となるので、四面体の場合よりも、より多くの包装対象物、特に葉もの野菜が収納できるとともに、四面体の場合よりも形状安定性に優れたものとなる。
【００１１】
前記隅取り用シール線は、前記第１，２封止部と前記第３および第４封止部との間を連結する円弧または直線とすることができる。また、前記第１，第２封止部は、前記包装体の引き裂き用開封ガイドとすることができる。
上記構成の包装体よれば、１辺が開口した袋体を形成する際に、４辺の対向する２辺の第一封止部及び第二封止部が、第４封止部を形成して四面体状に形成すると、二つの第一，第二概略三角形の垂線上に位置することになり、その結果、特別な手段を講じることなく、これらの封止部を引き裂き用の開封ガイドとすることができる。
【発明の効果】
【００１２】
本発明の包装体よれば、包装対象物、特にレタス，ほうれん草などの葉もの野菜を空気とともに封入した包装体は、四面体の各隅部に隅取り用シール線を設けているので、包装対象物、特に葉もの野菜が侵入して損傷を受け易い隅部がなくなり、この結果、包装対象物の損傷、特に葉もの野菜の損傷を防いで、その鮮度を長期間保つことができる。
【発明を実施するための最良の形態】
【００１３】
以下に本発明を実施形態に基づいて説明する。図１は、本発明の包装体１０に用いる袋体１２を示している。この袋体１２は、細が長い１枚のフィルムないしはシートを下端で折り曲げて、重ね合わせた長方形状にし、対向する一対の２辺（側面）に第１および第２封止部１４，１６が形成されている。
【００１４】
袋体１２の材料としては、透明ないしは半透明、着色された樹脂フィルムや樹脂シートを使用することができる。樹脂としては、ポリエチレン、ポリプロピレンなどのポリオレフィン類、ポリエステル、ポリアミド、ポリカーボネート、ポリスチレン、ポリ塩化ビニール、ポリ塩化ビニリデン、エチレンとビニールアルコールの共重合体（商品名エバール他）等を使用することができる。また、必要に応じて２重、３重のラミネートとすることもできる。更に、紫外線の透過率を小さくするため、紫外線吸収剤を添加した樹脂を使用することができる。
【００１５】
第１および第２封止部１４，１６は、本実施例の場合、熱刃でフィルム（シート）を切断することにより、フィルム（シート）の端面同士を溶着した熱シール線で形成されている。この封止部１４，１６は、端面同士の熱シール線に替えて、フィルムの面同士を熱圧着する形態の熱シール線であってもよい。
【００１６】
袋体１２は、残りの２辺のうち１辺（下端）には、折曲げ線からなる第３封止部１８が形成され、残りの１辺（上端）は、開口している。本実施例の場合、第３封止部１８の両端には、一対の円弧状の隅取りシール線２０ａ，２０ｂが設けられている。これらの隅取りシール線２０ａ，２０ｂは、熱圧着シール線により構成されている。
【００１７】
一方の隅取りシール線２０ａは、第３封止部１８の左端側と第１封止部１４との間を連結するように形成され、他方の隅取りシール線２０ｂは、第３封止部１８の右端側と第２封止部１６との間を連結するように形成されている。
【００１８】
なお、第３封止部１８は、折り曲線に替えて、熱圧着のシール線であってもよい。以上のような袋体１２が形成されると、上端開口部から包装対象物が袋体１２内に投入される。この際には、図２に示すように、袋体１２の上端開口の中心部分Ｃを前後方向の引き離すようにして、上端開口の両端Ａ，Ｂが相互に近接するようにして、開口部を開き、この状態で所定量の葉もの野菜Ｖが投入される。
【００１９】
葉もの野菜Ｖは、例えば、レタス，ほうれん草，ブロッコリー，小松菜，枝豆，各種の葉もの野菜を所定の大きさに切断したカット野菜などであり、これらの野菜類を、例えば、５〜１０ｃｍ程度の直径に揃えて、これらの葉もの野菜Ｖを一部分同士が相互に重なり合うようにしてランダムに収容する。葉もの野菜Ｖの収容が完了すると、袋体１２の上端開口が封止される。
【００２０】
袋体１２の封止状態を図３，４に示している。袋体１２の開口部の封止は、第４封止部２２を形成することで行われる。第４封止部２２は、例えば、熱圧着シール線により形成され、第３封止部１８と概略直交するような角度で形成される。
【００２１】
また、第４封止部２２は、袋体１２の上端から下方に離間した位置に配置され、第４封止部２２の上端に耳部２４が設けられる。さらに、本実施例の場合、第４封止部２２の両端には、一対の円弧状の隅取りシール線２６ａ，２６ｂが設けられている。これらの隅取りシール線２６ａ，２６ｂは、上記シール線２０ａ，２０ｂと同様に、熱圧着シール線により構成されている。
【００２２】
一方の隅取りシール線２６ａは、第４封止部２２の左端側と第１封止部１４との間を連結するように形成され、他方の隅取りシール線２６ｂは、第４封止部２２の右端側と第２封止部１６との間を連結するように形成されている。
【００２３】
以上のようにして、第４封止部２２および隅取りシール線２６ａ，２６ｂを形成すると、図３〜図５に示すように、第４封止部２２を共通底辺とする一対の第一および第二概略三角形ａ，ｂ（三角形の斜辺と底辺との間に円弧状の隅取りシール線２６ａ，２６ｂが介在しているので、これを概略三角形と表現している）と、第３封止部１８を共通底辺とする一対の第三および第四概略三角形ｃ，ｄ（三角形の斜辺と底辺との間に円弧状の隅取りシール線２０ａ，２０ｂが介在しているので、これを概略三角形と表現している）とが形成される。
【００２４】
これらの概略三角形ａ〜ｄは、斜辺同士が周方向に連結されて四面体形状になっていて、この中に包装対象物である葉もの野菜Ｖが空気とともに封止された包装体１０となっている。
【００２５】
このように構成された包装体１０においては、図３に示すように、第一，第二概略三角形ａ，ｂの概略垂線上に第１および第２封止部１４，１６が位置することになり、この熱圧着ないしは熱刃シール線を、包装体１０の引き裂き用の開封ガイトとしている。
【００２６】
図６は、第１および第２封止部１４，１６を開封ガイドとして、このシール線に沿って包装体１０を引き裂いた場合を示している。本実施例の場合には、この引き裂き操作を容易にするために、耳部２４の中心位置にあって、封止部１４，１６延長線上に位置するノッチ２８が設けられている。
【００２７】
第１および第２封止部１４，１６を、それぞれ隅取りシール線２０ａ，２０ｂの位置まで引き裂くと、図６に示すように、第三および第四概略三角形ｃ，ｄを底辺とし、その周縁に立ち上がる側面が形成された舟型形状になる。この場合の側面は、第一および第二概略三角形ａ，ｂを概略垂線上で２分割したもので形成される。
【００２８】
この場合、包装体１０内に収納されていた葉もの野菜Ｖは、舟型内にあって、舟型の上方が開放されているので、舟型の皿として機能させることができ、野菜をそのまま食することもできる。さて、以上のように構成した包装体１０によれば、レタス，ほうれん草などの葉もの野菜Ｖを空気とともに封入した包装体１０は、四面体の各隅部に隅取り用シール線２０ａ，２０ｂ，２６ａ，２６ｂを設けているので、葉もの野菜Ｖが侵入して損傷を受け易い隅部がなくなり、その結果、葉もの野菜の鮮度を長期間保つことができる。
【００２９】
また、上記構成の包装体１０よれば、１辺が開口した袋体１２を形成する際に、４辺の対向する２辺の熱シール線からなる第一封止部及び第二封止部１２，１４が、第４封止部２２を形成して四面体状に形成すると、二つの第一，第二概略三角形ｃ，ｄの垂線上に位置することになり、その結果、これらの熱シール線を引き裂き用の開封ガイドとすることができる。
【００３０】
さらに、上記構成の包装体１０では、レタス，ほうれん草などの葉もの野菜Ｖが包装対象物であって、これを四面体を基本形状とする包装体１０内に封入すると、四面体は、平行ないしは対向する面が存在しないので、外力が加えられた際に、外力が分散して、箱状の包装体にこれらを封入した場合のように、外力がそのまま葉もの野菜Ｖに加えられることがなく、葉もの野菜の損傷を少なくすることができる。
【００３１】
また、上記構成の包装体１０では、レタス，ほうれん草などの葉もの野菜Ｖが包装対象物であって、これを空気と共に四面体を基本形状とする包装体１０内に封入しているので、隣接する野菜間や、表面の野菜と袋体１２の内面間に空気層が介在しているので、外力が加えられた場合に、これらの空気層がクッションとして機能し、これによっても野菜の損傷を少なくすることができる。
【００３２】
なお、上記実施例では、隅取り用シール線２０ａ，２０ｂ，２６ａ，２６ｂを円弧状に形成した場合を例示したが、これらの各シール線は、例えば、図１および図３に一点差線で示すような直線とすることができる。また、図１および図３に仮想線で示した各隅取りシール線２０ａ，２０ｂ，２６ａ，２６ｂの外側の余白部分は、シール線に沿って切断除去してもよいし、そのまま残すこともできる。また、包装対象物は、葉もの野菜で説明したが、これに限定されることなく、例えば、ポテトチップスなどの食品・ビーズなどの雑貨など、損傷し易いものであればよい。
【産業上の利用可能性】
【００３３】
本発明の包装体は、包装対象物、特に葉もの野菜などの損傷を防ぎ、これを長期間新鮮に保つことができるので、長期の輸送が可能になるなど、包装体としての価値を一段と高め、産業界で広く活用される。
【図面の簡単な説明】
【００３４】
【図１】本発明の包装体に用いる袋体の一例を示す図である。
【図２】図１に示した袋体内に野菜を投入する際の説明図である。
【図３】本発明の包装体側面図である。
【図４】本発明の包装体の異なる方向の側面図である。
【図５】本発明の包装体の斜視図である。
【図６】本発明の包装体を開封した状態の説明図である。
【符号の説明】
【００３５】
１０        包装体
１２        袋体
１４        第１封止部
１６        第２封止部
１８        第３封止部
２０ａ，２０ｂ    隅取りシール線
２２        第４封止部
２６ａ，２６ｂ    隅取りシール線
【図１】
2008201429.tif 000003
【図２】
2008201429.tif 000004
【図３】
2008201429.tif 000005
【図４】
2008201429.tif 000006
【図５】
2008201429.tif 000007
【図６】
2008201429.tif 000008